(57)【特許請求の範囲】
【請求項１】
無線基地局から着信者番号および発信者番号を含む呼出情報を受信する受信手段と、
前記受信手段により受信された前記呼出情報に含まれる着信者番号に基づいて着呼を検出した場合に、該着呼を検出したことを示す着呼応答情報を前記無線基地局に送信する着呼応答手段と、
前記着呼応答手段により送信された前記着呼応答情報が受信されたことを示す送達確認情報を前記無線基地局から得られない場合に、前記受信手段が受信した前記呼出情報に含まれる発信者番号に発呼して発信者側へ通話割込する割込通話手段と、
を具備することを特徴とする無線通信端末。
【請求項２】
前記割込通話手段は、前記受信手段により受信された前記呼出情報に発信者番号が含まれていなければ、着信処理を終了させることを特徴とする請求項１記載の無線通信端末。
【請求項３】
電話番号と折り返し発呼するか否かを表す再送対象情報とを対応付けて記憶する記憶手段と、
前記受信手段により受信された前記呼出情報に含まれる発信者番号に対応する再送対象情報を前記記憶手段から抽出する抽出手段と、
を更に備え、
前記割込通話手段は、前記着呼応答手段により送信された前記着呼応答情報が受信されたことを示す送達確認情報を前記無線基地局から得られず、且つ、前記抽出手段により抽出された再送対象情報に基づいて前記発信者番号が折り返し発呼する対象である場合に、その発信者番号に発呼して発信者側へ通話割込することを特徴とする請求項１記載の無線通信端末。
【請求項４】
電話番号、折り返し発呼するか否かを表す再送対象情報、および特殊コードをそれぞれ対応付けて記憶する記憶手段と、
前記受信手段により受信された前記呼出情報に含まれる発信者番号に対応する再送対象情報および特殊コードを前記記憶手段から抽出する抽出手段と、
を更に備え、
前記割込通話手段は、前記着呼応答手段により送信された前記着呼応答情報が受信されたことを示す送達確認情報を前記無線基地局から得られず、且つ、前記抽出手段により抽出された再送対象情報に基づいて前記発信者番号が折り返し発呼する対象である場合に、前記抽出手段により抽出された特殊コードを前記発信者番号に付加して発呼することを特徴とする請求項１記載の無線通信端末。
【請求項５】
コンピュータに、
無線基地局から着信者番号および発信者番号を含む呼出情報を受信する受信機能と、
前記受信機能により受信された前記呼出情報に含まれる着信者番号に基づいて着呼を検出した場合に、該着呼を検出したことを示す着呼応答情報を前記無線基地局に送信する着呼応答機能と、
前記着呼応答機能により送信された前記着呼応答情報が受信されたことを示す送達確認情報を前記無線基地局から得られない場合に、前記受信機能が受信した前記呼出情報に含まれる発信者番号に発呼して発信者側へ通話割込する割込通話機能と、
を実現させるためのプログラム。
【発明の詳細な説明】
【技術分野】
【０００１】
本発明は、呼接続動作を繰り返して着信成功率向上を図る無線通信端末、及びプログラムに関する。
【背景技術】
【０００２】
移動無線通信システムでは、図１１に図示するように、ＯＳＩ参照モデルに準拠するレイヤ１〜レイヤ３により無線区間信号方式が規定される。具体的には、レイヤ１（物理層）では、物理的な接続・伝送に関わる条件（例えば使用周波数、送信出力、変復調方式あるいはアクセス方式等）を規定する。また、レイヤ２（データリンク層）では、基地局が通信したい移動端末を特定し、その移動端末との間で正しくデータ授受できるようにする処理（メッセージの組み立て、分解、誤り訂正、再送要求等）を規定する。さらに、レイヤ３（ネットワーク層）では、メッセージの送受信（発着信時の呼接続）や回線制御（回線監視、終話処理）を規定している。
【０００３】
こうした移動無線通信システムにおいて、移動端末から網側に発呼要求や着信応答が伝えられない場合に、予め同じ内容の発呼要求や着信応答を指定回数だけ移動端末から網側に送信する方式や、発呼要求や着信応答を送信してから一定時間それに対応する制御情報が受信されなければ、発呼要求や着信応答を移動端末から網側に再送する方式が特許文献１に開示されている。
【０００４】
また、特許文献２には、レイヤ２に再送制御機能を持たない簡易なプロトコルを使用し、ユーザ網インタフェース上の障害や情報転送の信頼性確保をレイヤ３の再送機能を用いて対処するようにして、レイヤ２制御のプロセッサ負担やハードウェア量の軽減を図って回線コストの安価な端末制御を行う交換機が開示されている。
【０００５】
【特許文献１】特開平９−２６６５９３号公報
【特許文献２】特開平５−１２２２７８号公報
【発明の開示】
【発明が解決しようとする課題】
【０００６】
移動無線通信システムでは、呼を着信させる為に網側（基地局）から移動端末へ着信情報を報知するが、受信状態やその他の理由で移動端末からの着信応答が得られないと、網側（基地局）は回線浪費を避ける為、再呼出しは行わないようにしている。この為、着信報知を受けた移動端末は、上記特許文献１に開示の技術のように、レイヤ２で着信応答を再送することになるが、例えば電波環境などの要因により網側（基地局）がレイヤ２における着呼応答の受信に失敗すると、移動端末は網側（基地局）に接続されず着信することが出来ない。つまり、換言すれば、移動端末側で着信成功率の向上を図ることができないという問題がある。
【０００７】
また、上記特許文献２に開示の技術は、網側（交換機）がレイヤ３の再送機能を用いてユーザ網インタフェース上の障害や情報転送の信頼性を確保するものであるから、やはり移動端末側で着信成功率の向上を図ることができないという問題がある。
【０００８】
本発明は、このような事情に鑑みてなされたもので、着信成功率の向上を図ることができる無線通信端末、及びプログラムを提供することを目的としている。
【課題を解決するための手段】
【０００９】
上記目的を達成するため、請求項１に記載の発明では、無線基地局から着信者番号および発信者番号を含む呼出情報を受信する受信手段と、前記受信手段により受信された前記呼出情報に含まれる着信者番号に基づいて着呼を検出した場合に、該着呼を検出したことを示す着呼応答情報を前記無線基地局に送信する着呼応答手段と、前記着呼応答手段により送信された前記着呼応答情報が受信されたことを示す送達確認情報を前記無線基地局から得られない場合に、前記受信手段が受信した前記呼出情報に含まれる発信者番号に発呼して発信者側へ通話割込する割込通話手段とを具備することを特徴とする。
【００１２】
上記請求項１に従属する請求項２に記載の発明では、前記割込通話手段は、前記受信手段により受信された前記呼出情報に発信者番号が含まれていなければ、着信処理を終了させることを特徴とする。
【００１３】
上記請求項１に従属する請求項３に記載の発明では、電話番号と折り返し発呼するか否かを表す再送対象情報とを対応付けて記憶する記憶手段と、前記受信手段により受信された前記呼出情報に含まれる発信者番号に対応する再送対象情報を前記記憶手段から抽出する抽出手段と、を更に備え、前記割込通話手段は、前記着呼応答手段により送信された前記着呼応答情報が受信されたことを示す送達確認情報を前記無線基地局から得られず、且つ、前記抽出手段により抽出された再送対象情報に基づいて前記発信者番号が折り返し発呼する対象である場合に、その発信者番号に発呼して発信者側へ通話割込することを特徴とする。
【００１４】
上記請求項１に従属する請求項４に記載の発明では、電話番号、折り返し発呼するか否かを表す再送対象情報、および特殊コードをそれぞれ対応付けて記憶する記憶手段と、前記受信手段により受信された前記呼出情報に含まれる発信者番号に対応する再送対象情報および特殊コードを前記記憶手段から抽出する抽出手段と、を更に備え、前記割込通話手段は、前記着呼応答手段により送信された前記着呼応答情報が受信されたことを示す送達確認情報を前記無線基地局から得られず、且つ、前記抽出手段により抽出された再送対象情報に基づいて前記発信者番号が折り返し発呼する対象である場合に、前記抽出手段により抽出された特殊コードを前記発信者番号に付加して発呼することを特徴とする。
【００１６】
請求項５に記載の発明では、コンピュータに、無線基地局から着信者番号および発信者番号を含む呼出情報を受信する受信機能と、前記受信機能により受信された前記呼出情報に含まれる着信者番号に基づいて着呼を検出した場合に、該着呼を検出したことを示す着呼応答情報を前記無線基地局に送信する着呼応答機能と、前記着呼応答機能により送信された前記着呼応答情報が受信されたことを示す送達確認情報を前記無線基地局から得られない場合に、前記受信機能が受信した前記呼出情報に含まれる発信者番号に発呼して発信者側へ通話割込する割込通話機能と、を実現させるためのプログラムであることを特徴としている。
【発明の効果】
【００１９】
請求項１、５に記載の発明によれば、無線基地局から着信者番号および発信者番号を含む呼出情報を受信し、受信した呼出情報から着呼を検出すると、着呼応答を行い、この着呼応答に対して、無線基地局から送達確認が得られなければ、受信した呼出情報に含まれる発信者番号に発呼して発信者側へ通話割込するので、着信成功率の向上を図ることができる。
【００２０】
請求項２に記載の発明によれば、呼出情報に発信者番号が含まれていなければ、着信処理を終了させることができる。
【００２１】
請求項３に記載の発明によれば、電話番号と折り返し発呼するか否かを表す再送対象情報とを対応付けて記憶し、無線基地局から送達確認情報が得られず、且つ、呼出情報から得られた発信者番号が折り返し発呼する対象である場合に、その発信者番号に発呼して発信者側へ通話割込するので、無線基地局から送達確認情報が得られないときに、呼出情報から得られた発信者番号に折り返し発呼するか否かを予め指定することができる。
【００２２】
請求項４に記載の発明によれば、電話番号、折り返し発呼するか否かを表す再送対象情報、および特殊コードをそれぞれ対応付けて記憶し、無線基地局から送達確認情報が得られず、且つ、呼出情報から得られた発信者番号が折り返し発呼する対象である場合に、この発信者番号に特殊コードを付加して発呼するので、無線基地局から送達確認情報が得られないときに、呼出情報から得られた発信者番号に折り返し発呼するか否かを予め指定することができるとともに、折り返し発呼する際に通信事業者から提供される特殊コードに該当するサービスを得られるように予め指定することができる。
【発明を実施するための最良の形態】
【００２３】
以下、図面を参照して本発明の実施の形態について説明する。
Ａ．第１実施形態
（１）システム構成
図１は、本発明による無線通信端末が適用される移動無線通信システムの構成を示すブロック図である。この図に示すシステムにおいて、発信側無線端末ＭＳの発呼は、位置登録した発信側基地局ＢＳを介して発信側交換機ＭＳＣに送られる。発信側交換機ＭＳＣは、その発呼に応じて加入者登録サーバから問い合せた着番号（加入者番号）および位置登録情報に基づき着信側交換機ＭＳＣを呼出す。着信側交換機ＭＳＣは、着信側基地局ＢＳを介して着信側無線端末ＭＳを呼出し、これに応じて着信側無線端末ＭＳが着呼応答すると、発信側交換機ＭＳＣと着信側交換機ＭＳＣとのリンクが確立して発信側無線端末ＭＳと着信側無線端末ＭＳとが通話する。
【００２４】
（２）無線通信端末１００の構成
図２は、無線通信端末１００の構成を示すブロック図である。無線通信端末１００は、例えば折畳み開閉タイプの本体構造を有し、その本体ケース（図示せず）には、送受信用のアンテナ２、音声発生用のスピーカ３、カラー液晶パネル等から構成される表示部４、キー入力部５、音声入力用のマイク６、着脱自在な記憶媒体でデータの読み出しおよび書き込みが可能なメモリカード７、画像を撮像するカメラ８、着信報知するスピーカ９および振動によって着信通知するバイブレータ１０が設けられている。
【００２５】
キー入力部５には、各種専用スイッチと各種機能が割り当てられる機能スイッチとが設けられる。代表的な専用スイッチとして、電源スイッチ、通話開始／回線断時に操作されるオフフック／オンフックスイッチ等が設けられている。無線送受信部１１は、アンテナ２を介して受信した高周波信号を増幅して次段の無線信号処理部１２に出力する一方、無線信号処理部１２から出力される送信信号を高周波増幅してアンテナ２から送出する。
【００２６】
無線信号処理部１２は、無線送受信部１１によって増幅された高周波信号を復調する一方、制御部１３から供給される送信データを変調した送信信号を発生する。制御部１３は、システムバスを介してコマンドおよびデータの授受を行ってこの装置全体を制御する。本発明の要旨に係わる制御部１３の動作については追って詳述する。加入者情報記憶部１４は、自己の電話番号の他、発信履歴や着信履歴などを記憶する。
【００２７】
システムＲＯＭ１５は、制御部１３によって実行されるプログラムの他、待受画面等を形成する各種画面データを記憶している。なお、制御部１３によって実行されるプログラムとは、後述する着信処理および応答送信処理を含む。メモリ１６は、制御部１３の処理に用いる各種レジスタ・フラグデータを一時記憶するワークエリア、メールアドレスや送受信メールを保存するメールエリアおよびカメラ８から供給される撮像データを保存する画像データエリアを備える。
【００２８】
音声信号処理部１７は、通話中の音声データを音声信号にＤ／Ａ変換してスピーカ３から発音させたり、マイク６から出力される音声信号を音声データにＡ／Ｄ変換して制御部１３に入力したりする。ドライバ１８は、カメラ８が備えるＬＥＤ（発光素子）、着信通知用のスピーカ９およびバイブレータ１０を駆動する。ドライバ１９は、制御部１３からの指示に従い表示部４を表示駆動する。ドライバ２０は、制御部１３からの指示に従いメモリカード７に対してデータをリードライトする。メモリカード７は、制御部１３の指示に応じて、メモリ１６の画像データエリアから転送される撮像データを画像ファイルとして格納する撮像データエリアを備える。入出力インタフェース２１は、制御部１３の制御の下、ＵＳＢケーブルなどのシリアルインタフェースで接続される外部機器との間でデータ授受する。
【００２９】
（３）動作
次に、図３〜図５を参照して無線通信端末１００の着信応答シーケンスと、この着信応答シーケンスに基づき無線通信端末１００が実行する着信処理および応答送信処理の動作とを説明する。
【００３０】
ａ．着信応答シーケンス
図３は、着信応答シーケンスを示すシーケンス図である。発信側の無線通信端末１００からの発呼に応じて着信側交換機ＭＳＣが発生する呼出しメッセージに従い、着信側基地局ＢＳは着番号を含む呼出情報および報知情報を着信側の無線通信端末１００に送出する。報知情報は、レイヤ２での着呼応答態様を指定する応答送信制御情報の他、レイヤ２で着呼応答に失敗した場合に行うレイヤ３の再送制御態様を指定する再送制御情報（時間、回数）を含む。
【００３１】
着信側の無線通信端末１００では、報知情報に含まれる応答送信制御情報に従ってレイヤ２で着呼応答を実行する。着呼応答に失敗した場合には、再送制御情報で指定される所定時間内に着呼応答を所定回数繰り返し実行させるようにレイヤ３で再送制御する。こうして所定時間内に所定回数繰り返される着呼応答により呼設定が完了すると、着信側基地局ＢＳは、着信側交換機ＭＳＣに応答メッセージを送出すると共に、着信側の無線通信端末１００に送達確認通知Ａｃｋを送出する。着信側の無線通信端末１００は、送達確認通知Ａｃｋを受領すると、着信応答シーケンスを終えて回線接続処理に移行する。
【００３２】
ｂ．着信処理の動作
次に、図４を参照してレイヤ３で行われる着信処理の動作を説明する。待ち受け状態にある無線通信端末１００では、制御部１３が図４に図示する着信時処理を実行し、ステップＳＡ１に処理を進め、着番号を含む呼出情報を取得する。続いて、ステップＳＡ２では、取得した呼出情報に含まれる着番号と自己の電話番号とが一致するか否か、つまり着信の有無を判断する。着信しなければ、判断結果は「ＮＯ」になり、上記ステップＳＡ１に処理を戻し、待ち受け状態で待機する。
【００３３】
一方、取得した呼出情報に含まれる着番号と自己の電話番号とが一致して着信すると、上記ステップＳＡ２の判断結果が「ＹＥＳ」になり、ステップＳＡ３に進む。ステップＳＡ３では、呼出情報と共に受信した報知情報に含まれる応答送信制御情報を取得する。レイヤ２での着呼応答態様を指定する応答送信制御情報は、基地局からの受信応答を待つ時間を表すパラメータＡＣＣ＿ＴＭＯ、着呼応答の送信タイミングを無作為に遅らせるための最大時間を表すＰＲＯＢＥ＿ＢＫＯＦＦ、電力制御を初めからやり直して再送する回数を表すパラメータＭＡＸ＿ＲＳＰ＿ＳＥＱおよび電力制御を行いながら着呼応答を再送する回数を表すパラメータＮＵＭ＿ＳＴＥＰからなる。これら応答送信制御情報は、レイヤ２で行われる応答送信処理（後述する）にて用いられる。
【００３４】
次に、ステップＳＡ４では、呼出情報と共に受信した報知情報に含まれる再送制御情報（回数および時間）を取得する。そして、ステップＳＡ５に進み、監視タイマを起動する。監視タイマは、再送制御情報で指定される時間に達したかどうかを監視するためのタイマである。続いて、ステップＳＡ６では、上記ステップＳＡ３にて取得した応答送信制御情報に基づきレイヤ２での着呼応答を行う応答送信処理（後述する）を実行させる。次いで、ステップＳＡ７では、ステップＳＡ６で実行されたレイヤ２での応答送信処理において着信側基地局ＢＳから送達確認通知を受信したか否か、すなわち着呼応答に成功したかどうかを判断する。
【００３５】
送達確認通知を受信できず着呼応答に失敗すると、上記ステップＳＡ７の判断結果は「ＮＯ」になり、ステップＳＡ８に進む。ステップＳＡ８では、レイヤ２で行われる応答送信処理を、再送制御情報で指定される回数まで実行したか否かを判断する。再送制御情報で指定される回数まで実行していなければ、判断結果は「ＮＯ」となり、ステップＳＡ９に進む。ステップＳＡ９では、監視タイマにカウントされる時間が、再送制御情報で指定される時間を超えたか否か、つまり再送制御情報で指定される所定の時間が経過したかどうかを判断する。再送制御情報で指定される所定の時間が経過していなければ、判断結果が「ＮＯ」になり、上述のステップＳＡ６に処理を戻す。
【００３６】
以後、着呼応答に成功するまで再送制御情報で指定される所定時間以内に、ステップＳＡ６の応答送信処理を、再送制御情報で指定される回数分繰り返し実行させる。そして、この過程で着呼応答に成功すれば、上記ステップＳＡ７の判断結果が「ＹＥＳ」になり、着信応答シーケンスを終えて回線接続処理に移行する。これに対し、上記過程において再送制御情報で指定される所定時間を超える、或いは、ステップＳＡ６の応答送信処理を再送制御情報で指定される回数分繰り返し実行し終えると、それぞれ上記ステップＳＡ８，ＳＡ９の判断結果が「ＹＥＳ」になり、本処理を終える。
【００３７】
ｃ．応答送信処理の動作
次に、図５を参照してレイヤ２で行われる応答送信処理の動作を説明する。上述した着信処理のステップＳＡ６（図４参照）を介して本処理が実行されると、制御部１３は図５に図示するステップＳＢ１に処理を進め、送信電力を初期設定する。続いて、ステップＳＢ２では、初期設定された送信電力で着信応答を送信する。次いで、ステップＳＢ３では、着信応答送信に応じて着信側基地局ＢＳからの送達確認通知を受信するための受信処理を実行する。次に、ステップＳＢ４では、上記ステップＳＢ３の受信処理にて送達確認通知を受信したかどうかを判断する。
【００３８】
送達確認通知を受信していなければ、上記ステップＳＢ４の判断結果は「ＮＯ」になり、ステップＳＢ５に進む。ステップＳＢ５では、上記ステップＳＢ２の応答送信時点からパラメータＡＣＣ＿ＴＭＯで指定される応答待ち時間が経過したかどうかを判断する。なお、パラメータＡＣＣ＿ＴＭＯは、前述した着信処理のステップＳＡ３（図４参照）において取得した応答送信制御情報である。応答待ち時間が経過していなければ、判断結果は「ＮＯ」になり、再び上記ステップＳＢ３に処理を戻して送達確認通知を受信するための受信処理を実行する。
【００３９】
応答送信時点からパラメータＡＣＣ＿ＴＭＯで指定される応答待ち時間が経過してもなお送達確認通知を受信できなければ、上記ステップＳＢ５の判断結果が「ＹＥＳ」になり、ステップＳＢ６に進む。ステップＳＢ６では、送信電力を上げて（ＮＵＭ＿ＳＴＥＰ＋１）回の応答送信を繰り返したか否か、つまりパラメータＮＵＭ＿ＳＴＥＰで指定される再送回数の応答送信を行ったかどうかを判断する。パラメータＮＵＭ＿ＳＴＥＰで指定される再送回数の応答送信を行っていなければ、判断結果は「ＮＯ」になり、ステップＳＢ１０に進み、送信電力をアップさせる設定を行う。そして、ステップＳＢ１１では、パラメータＰＲＯＢＥ＿ＢＫＯＦＦで指定される送信タイミング遅延時間分待機した後、上述のステップＳＢ２に処理を戻して、送信電力を上げた応答送信を行う。
【００４０】
一方、パラメータＮＵＭ＿ＳＴＥＰで指定される再送回数の応答送信を行うと、上記ステップＳＢ６の判断結果が「ＹＥＳ」になり、ステップＳＢ７に進む。ステップＳＢ７では、送信電力を初期設定して、パラメータＭＡＸ＿ＲＳＰ＿ＳＥＱで指定される再送回数の応答送信を繰り返したか否かを判断する。パラメータＭＡＸ＿ＲＳＰ＿ＳＥＱで指定される再送回数分繰り返していなければ、判断結果は「ＮＯ」になり、ステップＳＢ８に進み、送信電力をアップさせる設定を行う。そして、ステップＳＢ９では、パラメータＰＲＯＢＥ＿ＢＫＯＦＦで指定される送信タイミング遅延時間分待機した後、上述のステップＳＢ２に処理を戻して、送信電力を上げた応答送信を行う。
【００４１】
こうして、応答送信制御情報（ＡＣＣ＿ＴＭＯ、ＰＲＯＢＥ＿ＢＫＯＦＦ、ＭＡＸ＿ＲＳＰ＿ＳＥＱ、ＮＵＭ＿ＳＴＥＰ）に従って着呼応答を繰り返す過程で着信側基地局ＢＳからの送達確認通知を受信したならば、上記ステップＳＢ４の判断結果が「ＹＥＳ」になり、本処理を終えて前述の着信処理（図４参照）に戻る。これに対し、応答送信制御情報に従って着呼応答を繰り返しても送達確認通知を受信できなかった場合には、上記ステップＳＢ７の判断結果が「ＹＥＳ」になり、本処理を終えて前述の着信処理（図４参照）に戻る。
【００４２】
以上のように、第１実施形態では、着番号を含む呼出情報および報知情報を受信すると、無線通信端末１００は報知情報に含まれる応答送信制御情報に従ってレイヤ２で着呼応答を実行する。最初の着呼応答に失敗すると、報知情報に含まれる再送制御情報で指定される所定時間内に、レイヤ２で行う着呼応答を、当該再送制御情報で指定される所定回数分繰り返し実行させるようレイヤ３で再送制御するので、着信成功率の向上を図ることが可能になる。
【００４３】
また、報知情報に含まれる再送制御情報で指定される時間および回数に従ってレイヤ２の着呼応答をレイヤ３で再送制御するから、再送制御情報で指定される時間および回数を、着呼の緊急度や重要度に応じて変化させれば、無線通信端末１００の着呼応答態様を着呼の緊急度や重要度に応じて変化させることもできる。
【００４４】
Ｂ．第２実施形態
次に、第２実施形態について説明する。以下では、最初に図６を参照して第２実施形態による着信応答シーケンスを説明した後、図７〜図８を参照して発信側の無線通信端末１００が実行する発信側端末処理の動作および着信側の無線通信端末１００が実行する着信側端末処理の動作を説明する。
【００４５】
（１）着信応答シーケンス
図６は、第２実施形態による着信応答シーケンスを示すシーケンス図である。この図に示すように、発信側の無線通信端末１００が発呼すると、これに応じて発信側交換機ＭＳＣは着信側交換機ＭＳＣに呼出要求を送出する。着信側交換機ＭＳＣは、発信側交換機ＭＳＣからの呼出要求に従って着信側基地局ＢＳへ呼出しメッセージを送出する。着信側基地局ＢＳは、この呼出しメッセージに従い、呼出情報および報知情報を着信側の無線通信端末１００に送出する。呼出情報は、発信者番号および着番号を含む。また、報知情報は、レイヤ２での着呼応答態様を指定する応答送信制御情報を含む。
【００４６】
呼出情報に基づき着呼を認識した無線通信端末１００（着信側無線通信端末ＭＳ）では、報知情報に含まれる応答送信制御情報に従ってレイヤ２で着呼応答を実行する。着呼応答に失敗した場合には、呼出情報に含まれる発信者番号へ発呼する。この発呼に対応した着信側基地局ＢＳからの発信応答に従い、着信側無線通信端末ＭＳでは、リンガ鳴動にてユーザを呼出す。そして、着信側基地局ＢＳから通話チャンネルが割り当てられ、着信側無線通信端末ＭＳと着信側基地局ＢＳとの間の接続が確立すると、着信側基地局ＢＳから着信側交換機ＭＳＣへＭＳ発信し、さらに着信側交換機ＭＳＣから発信側交換機ＭＳＣへ呼出要求を送出する。そして、ユーザ応答（オフフック操作）に応じて、着側から発側へ割込み通話が開始する。
【００４７】
（２）発信側端末処理の動作
次に、図７を参照して発信側の無線通信端末１００が実行する発信側端末処理の動作を説明する。先ず、図７に図示するステップＳＣ１において発呼すると、ステップＳＣ２にて呼出音を出力する。そして、ステップＳＣ３では、着信側の無線通信端末１００に接続されたか否か判断する。接続されたならば、判断結果が「ＹＥＳ」になり、公知の着信処理を継続する。
【００４８】
一方、着信側の無線通信端末１００に接続できなければ、上記ステップＳＣ３の判断結果は「ＮＯ」になり、ステップＳＣ４に進む。ステップＳＣ４〜ＳＣ７では、所定時間経過するまでの間、着信先がサービス圏外であることをアナウンスしながら、着信側からの割込通話を待つ。このステップＳＣ４〜ＳＣ７の待機中において、所定時間が経過した場合あるいはユーザが通話終了ボタンを押下するオンフック操作をした場合には、ステップＳＣ５あるいはステップＳＣ６のいずれかの判断結果が「ＹＥＳ」になり、ステップＳＣ１０に進み、切断処理を実行して本処理を終える。
【００４９】
これに対し、上記ステップＳＣ４〜ＳＣ７の待機中に着信側からの割込通話が有ると、ステップＳＣ７の判断結果が「ＹＥＳ」になり、ステップＳＣ８に進む。そして、ステップＳＣ８〜ＳＣ９では、通話終了を押下するオンフック操作がなされるまで通話し、オンフック操作されると、ステップＳＣ９の判断結果が「ＹＥＳ」になり、ステップＳＣ１０の切断処理を実行して本処理を終える。
【００５０】
（３）着信側端末処理の動作
次に、図８を参照して着信側の無線通信端末１００が実行する着信側端末処理の動作を説明する。先ず、図８に図示するステップＳＤ１において、着番号を含む呼出情報を取得し、続くステップＳＤ２では、取得した呼出情報に含まれる着番号と自己の電話番号とが一致するか否か、つまり着信の有無を判断する。着信しなければ、判断結果は「ＮＯ」になり、上記ステップＳＤ１に処理を戻し、待ち受け状態で待機する。
【００５１】
一方、取得した呼出情報に含まれる着番号と自己の電話番号とが一致して着信すると、上記ステップＳＤ２の判断結果が「ＹＥＳ」になり、ステップＳＤ３に進む。ステップＳＤ３では、呼出情報と共に受信した報知情報に含まれる応答送信制御情報を取得する。レイヤ２での着呼応答態様を指定する応答送信制御情報は、基地局からの受信応答を待つ時間を表すパラメータＡＣＣ＿ＴＭＯ、着呼応答の送信タイミングを無作為に遅らせるための最大時間を表すＰＲＯＢＥ＿ＢＫＯＦＦ、電力制御を初めからやり直して再送する回数を表すパラメータＭＡＸ＿ＲＳＰ＿ＳＥＱおよび電力制御を行いながら着呼応答を再送する回数を表すパラメータＮＵＭ＿ＳＴＥＰからなる。これら応答送信制御情報は、後述のステップＳＤ５において実行される応答送信処理に用いられる。
【００５２】
次いで、ステップＳＤ４では、呼出情報から発信者番号を取得する。そして、ステップＳＤ５では、上記ステップＳＤ３にて取得した応答送信制御情報に基づきレイヤ２での着呼応答を行う応答送信処理（図５参照）を実行させる。続いて、ステップＳＤ６では、着信側基地局ＢＳから送達確認通知を受信したか否か、すなわち着呼応答に成功したかどうかを判断する。着呼応答に成功すると、判断結果は「ＹＥＳ」になり、公知の着信処理を継続する。
【００５３】
一方、送達確認通知を受信できず着呼応答に失敗した場合には、上記ステップＳＤ６の判断結果が「ＮＯ」になり、ステップＳＤ７に進む。ステップＳＤ７では、上記ステップＳＤ４にて取得した発信者番号に発呼する。続いて、ステップＳＤ８〜ＳＤ１０では、所定時間経過するまでの間、リンガ鳴動により自端末ユーザを呼出しながら、ユーザが通話開始ボタンを押下するオフフック操作を待つ。このステップＳＤ８〜ＳＤ１０の待機中において、所定時間が経過してもオフフック操作されない場合には、ステップＳＤ９の判断結果が「ＹＥＳ」になり、ステップＳＤ１４に進み、切断処理を実行して本処理を終える。
【００５４】
これに対し、所定時間が経過する前にユーザが通話開始ボタンを押下するオフフック操作を行うと、ステップＳＤ１０の判断結果が「ＹＥＳ」になり、ステップＳＤ１１に進み、発信者側へ通話割込する。そして、ステップＳＤ１２〜ＳＤ１３では、通話終了を押下するオンフック操作がなされるまで通話し、オンフック操作されると、ステップＳＤ１３の判断結果が「ＹＥＳ」になり、ステップＳＤ１４の切断処理を実行して本処理を終える。
【００５５】
このように、第２実施形態では、発信者番号および着番号を含む呼出情報と、レイヤ２での着呼応答態様を指定する応答送信制御情報を含む報知情報とを受信した着信側の無線通信端末１００は、報知情報に含まれる応答送信制御情報に従ってレイヤ２で着呼応答を実行する。この着呼応答に対して網側からの送達確認通知を受信できず着呼応答に失敗すると、受信した呼出情報から取得した発信者番号に発呼して発信者側へ通話割込するので、例えば着信側が高速移動中の場合や、フェージングなどにより瞬間的に電波受信状態が悪化して着呼応答に失敗するような状況下における着信成功率の向上を図ることが可能になる。
【００５６】
なお、第２実施形態では、着呼応答に失敗した場合に、呼出情報から抽出した発信者番号に基づき着呼側から発呼側へコールバック（折り返し発呼）するが、発信者側が発信者番号非通知として発呼した場合であれば、通常の規格に従った着信処理を実行させる。
【００５７】
Ｃ．変形例
次に、第２実施形態の変形例について説明する。着呼応答に失敗した場合に、呼出情報から抽出した発信者番号に基づき着呼側から発呼側へコールバックする第２実施形態において、図９に図示するように、電話番号と、折り返し発呼するか否かを表す再送対象情報とを対応付けて記憶する記憶手段を、無線通信端末１００の加入者情報記憶部１４（図２参照）に設ける。そして、例えば高速移動中やフェージングなどにより瞬間的に電波受信状態が悪化して着呼応答に失敗した場合に、発信者番号の再送対象情報を記憶手段から抽出し、抽出した再送対象情報が折り返し発呼する対象ならば、その発信者番号にコールバックする態様としてもよい。このようにすることで、折り返し発呼する発信者番号を指定することができる。
【００５８】
また、図１０に図示するように、電話番号および再送対象情報と共に特殊コードを対応付けて記憶する記憶手段を、無線通信端末１００の加入者情報記憶部１４（図２参照）に設けておき、折り返し発呼する際に、対応付けた特殊コードを付加した発信者番号により発呼すれば、通信事業者側から特殊コードに該当するサービスを受けることが可能になる。
【図面の簡単な説明】
【００５９】
【図１】本発明による無線通信端末が適用される移動無線通信システムの構成を示すブロック図である。
【図２】第１実施形態による無線通信端末１００の構成を示すブロック図である。
【図３】第１実施形態による着信応答シーケンスを示すシーケンス図である。
【図４】第１実施形態の着信処理の動作を示すフローチャートである。
【図５】第１実施形態の応答送信処理の動作を示すフローチャートである。
【図６】第２実施形態による着信応答シーケンスを示すシーケンス図である。
【図７】第２実施形態による発信側端末処理の動作を示すフローチャートである。
【図８】第２実施形態による着信側端末処理の動作を示すフローチャートである。
【図９】第２実施形態の変形例による電話番号と、再送対象情報との対応付けを示す図である。
【図１０】第２実施形態の変形例による電話番号および再送対象情報と共に特殊コードの対応付けを示す図である。
【図１１】無線区間信号方式を規定するＯＳＩ参照モデルを示す図である。
【符号の説明】
【００６０】
２  アンテナ
３  スピーカ
４  表示部
５  キー入力部
６  マイク
７  メモリカード
８  カメラ
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８  ドライバ
１９  ドライバ
２０  ドライバ
２１  入出力インタフェース
１００  携帯電話
【図１】
0004698433.tif 000002
【図２】
0004698433.tif 000003
【図３】
0004698433.tif 000004
【図４】
0004698433.tif 000005
【図５】
0004698433.tif 000006
【図６】
0004698433.tif 000007
【図７】
0004698433.tif 000008
【図８】
0004698433.tif 000009
【図９】
0004698433.tif 000010
【図１０】
0004698433.tif 000011
【図１１】
0004698433.tif 000012